(57)【特許請求の範囲】
【請求項１】
光源を点灯する光源点灯装置において、
前記光源を点灯させる電源回路と、
記憶部を有し、前記電源回路の出力電流を制御する制御装置と、
を備え、
前記制御装置は、
前記電源回路の回路定数が変更されない状態で、かつ、前記記憶部に対応値が書き込まれることで定格特性の異なる複数の使用候補の光源のうち特定の定格特性の光源の専用品として、前記記憶部に書き込まれた前記対応値に基づき前記光源を点灯制御する光源点灯装置。
【請求項２】
請求項１に記載の光源点灯装置を備えた照明器具。
【発明の詳細な説明】
【技術分野】
【０００１】
この発明は、例えば、ＬＥＤ（発光ダイオード）または有機ＥＬを点灯する光源点灯装置、この光源点灯装置を備えた照明器具及び光源点灯装置の製造方法に関するものである。
【背景技術】
【０００２】
従来の点灯装置として、ランプ電流に応じた電圧を出力する電圧電流変換回路と、ランプ電圧と電圧電流変換回路の出力とを取り込み、ランプの状態に応じてランプの点灯制御を行うマイクロコンピュータとを備えた点灯装置が提案されている（例えば、特許文献１）。
【先行技術文献】
【特許文献】
【０００３】
【特許文献１】特開平９−１２９３８０号公報（図１参照）
【特許文献２】特開２００７−１１５５９４号公報
【特許文献３】特開２０１１−２３８３８０号公報
【特許文献４】特開２００９−２８３４０１号公報
【特許文献５】特開平０６−３０３７７９号公報
【特許文献６】特開２０１２−０５１５２６号公報
【特許文献７】特開２００９−１１０９１４号公報
【特許文献８】特開２００８−１０３１９９号公報
【発明の概要】
【発明が解決しようとする課題】
【０００４】
点灯制御を行うマイクロコンピュータや点灯装置の回路定数は、ランプの定格電力、定格電圧、定格電流に対応したソフトウェアおよび定数を設定する必要があるため、ランプの定格ごとに異なる基板を必要とする。
【０００５】
この発明は、ランプの定格電力、定格電圧、定格電流が所定の範囲内であれば、同じ基板で製造できる光源点灯装置を提供することを目的とする。
【課題を解決するための手段】
【０００６】
この発明の光源点灯装置は、
光源を点灯する光源点灯装置において、
前記光源を点灯させる電源回路と、
記憶部を有し、前記電源回路の出力電流を制御する制御装置と、
を備え、
前記制御装置は、
前記電源回路の回路定数が変更されない状態で、かつ、特定の定格特性の光源の専用品として、前記記憶部に書き込まれた対応値に基づき前記光源を点灯制御する。
【発明の効果】
【０００７】
この発明により、光源の定格電力、定格電圧、定格電流が所定の範囲内であれば、同じ基板で製造できる光源点灯装置を提供できる。
【図面の簡単な説明】
【０００８】
【図１】実施の形態１の光源点灯装置１００の分解斜視図。
【図２】実施の形態１のＬＥＤモジュール１０３の回路図。
【図３】実施の形態１の定格出力違いの照明器具を示す図。
【図４】実施の形態１の光源点灯装置１００の定格出力の能力範囲を示す図。
【図５】図４の一部の能力範囲を示す図。
【図６】図４の別の一部の能力範囲を示す図。
【図７】実施の形態１の光源点灯装置１００の製造方法を示すフローチャート。
【図８】実施の形態１の光源点灯装置１００を示す回路図。
【図９】実施の形態１のプラットフォーム基板１１０の一部（はんだ面）を示す図。
【図１０】実施の形態１のプラットフォーム基板１１０一部（実装面）を示す図。
【図１１】実施の形態１の照明器具１０１の構成を示す断面図。
【図１２】実施の形態２の光源点灯装置１００−２の回路図。
【図１３】実施の形態２の光源点灯装置１００−２の動作の概略を示すフローチャート。
【図１４】実施の形態２の商用電源オン時の光源点灯装置１００−２の動作を示すフローチャート。
【図１５】実施の形態２の商用電源オフ時の光源点灯装置１００−２の動作を示すフローチャート。
【図１６】実施の形態２の順送り処理における調光レベル変更の説明図。
【図１７】実施の形態３の初期点灯処理を追加した商用電源オン時の光源点灯装置１００−２の動作を示すフローチャート。
【図１８】実施の形態４の順送り処理が行われた場合の出力変化を示す図。
【図１９】実施の形態４の順送り処理が行われた場合の出力変化を示す図。
【図２０】実施の形態４の順送り処理が行われた場合の出力変化を示す図。
【図２１】実施の形態４の順送り処理が行われた場合の出力変化を示す図。
【図２２】実施の形態４の初期点灯処理が行われた場合の出力変化を示す図。
【図２３】実施の形態５の間引き及び増灯の不都合を示す図。
【図２４】実施の形態５の間引き及び増灯による出力変動を示す図。
【図２５】実施の形態５の段調光における出力変動を示す図。
【図２６】実施の形態５の４段調光の切替順序を示す図。
【図２７】実施の形態５の光源点灯装置１００−５の回路図。
【図２８】実施の形態５の調光率を切り替える電源スイッチのオン、オフ操作を示す図。
【図２９】実施の形態５の調光率を初期値に戻す電源スイッチのオン、オフ操作を示す図。
【図３０】実施の形態５の点灯時の視覚効果を説明する図。
【図３１】実施の形態５の商用電源オンオフ状態検出回路９９を制御装置２０に組み込んだ構成の回路図。
【発明を実施するための形態】
【０００９】
実施の形態１．
図１〜図１１を参照して、実施の形態１の光源点灯装置１００を説明する。以下の説明では、光源点灯装置１００は、光源としてＬＥＤモジュール１０３を点灯するが、ＬＥＤモジュール１０３に限らず、有機ＥＬでも構わない。
【００１０】
（光源点灯装置１００の特徴）
図１は光源点灯装置１００の分解斜視図である。光源点灯装置１００の特徴は、定格電力、定格電流、定格電圧等が異なる複数の種類の光源に対して汎用的に使用できる実装基板を使用する点である。実装基板は、制御装置（例えばマイクロコンピュータ、以下マイコンという）やその他、抵抗、コンデンサ、コイル等の複数の電子部品が実装されて、光源点灯装置として機能する。複数の種類の光源に対して汎用的に使用できる実装基板を、以下、「プラットフォーム基板１１０」という。プラットフォーム基板１１０は、不揮発メモリ２１を有する制御装置２０と複数の電子部品とが実装され、光源点灯装置として機能する。プラットフォーム基板１１０は、定格電圧と定格電流とに基づいて決まる定格特性が互いに異なり、かつ、その定格特性が所定の範囲に含まれる定格特性違いの複数種類のＬＥＤモジュールが使用候補となる。つまりプラットフォーム基板１１０は、これらの使用候補に対して汎用品である。プラットフォーム基板１１０は、使用候補となる複数種類のＬＥＤモジュールのうちのいずれかのＬＥＤモジュールの定格特性に対応する対応値が不揮発メモリ２１に書き込まれることで、そのＬＥＤモジュールを使用できることが確定する。つまり対応値が書き込まれることで、そのＬＥＤモジュールの専用品となる。
図１のように、光源点灯装置１００は、プラットフォーム基板１１０と、プラットフォーム基板１１０を収納するケース３１ａ，３１ｂと、プラットフォーム基板１１０とケース３１ａ、３１ｂとの間を絶縁する絶縁板３２ａ，３２ｂを備える。
【００１１】
（ＬＥＤモジュール１０３）
図２は、ＬＥＤモジュール１０３の回路図である。図２のように、光源がＬＥＤ１０４の場合、複数個を直列（図２（ａ））、あるいは直並列（図２（ｂ））に接続して使用する。使用するＬＥＤ１０４の種類によって、ＬＥＤモジュール１０３の定格電流、定格電圧は異なる。このことから、ＬＥＤ１０４の種類あるいは接続方法が異なると、様々な定格のＬＥＤモジュール１０３を点灯する照明器具（光源点灯装置）の定格出力（電流、電圧、電力）は、多種多様となる。
【００１２】
図３は、定格出力（電流、電圧、電力）が異なる斜線範囲１〜６の６タイプの照明器具（光源点灯装置）を示す。
【００１３】
従来では、各照明器具の定格出力範囲に最適な回路設計および検証を行っていた。このため、定格出力電流が同じ場合（斜線範囲１と斜線範囲４）、定格出力電圧が同じ場合（斜線範囲３と斜線範囲４）、定格出力電力が同じ場合（斜線範囲１と斜線範囲３）についても、各照明器具の定格出力範囲に最適な回路設計および検証を都度行う必要があった。つまり、斜線範囲１，３，４の３種類の照明器具のそれぞれについて、回路設計および検証を都度行う必要があった。さらに、新たなＬＥＤモジュール１０３に対応するため、新たに出力範囲の異なる照明器具（斜線範囲Ａと斜線範囲Ｂ）が追加された場合なども、新たに回路設計および検証を必要とする。
【００１４】
（プラットフォーム基板）
図４は、光源点灯装置の定格出力の能力範囲（全光範囲）を示す図である。斜線範囲１〜６の６種類の照明器具および今後予想される新たな照明器具の定格出力を全てカバーできる範囲（所定の範囲）として、出力電流が２５０ｍＡ〜５００ｍＡ、出力電圧が５０Ｖ〜２００Ｖ、出力電力が２５Ｗから１００Ｗであるとする。出力電力一定の曲線はＩＶ＝Ｗであるから反比例曲線である。つまり、光源点灯装置である実装基板は、図４のイ、ロ、ハ、ニの範囲内の定格出力をカバーできるとする。この「出力範囲イ〜ニ」に最適な回路設計および検証を実施した実装基板を作る。今後新たな照明器具が追加された場合にも、その照明器具が「出力範囲イ〜ニ」（所定の範囲）であれば前記の実装基板を使用できる。よって、回路設計および検証が不要であるので、開発期間を短縮できる。このような汎用的な実装基板が「プラットフォーム基板」である。「出力範囲イ〜ニ」が前記のプラットフォーム基板の定格特性範囲である。
【００１５】
（複数のプラットフォーム基板）
プラットフォーム基板を図４の「出力範囲イ〜ニ」の１種類とした場合は、出力電力１００Ｗに耐える部品を使用することになる。このため出力電力が小さい照明器具（斜線範囲１、３など）では、各照明器具の定格出力範囲に最適な回路設計を行った場合と比べていわゆるオーバースペックとなり、コスト高になる。このため図５、図６のように、例えば出力電力が２５Ｗから５０Ｗの出力範囲（範囲イ、ロ、ハ、ホの領域内）と、５０Ｗから１００Ｗの出力範囲（範囲ハ、ニ、ホの領域内）とのそれぞれの出力範囲（所定の範囲）で、最適な回路設計および検証を実施して、それぞれの出力範囲ごとのプラットフォーム基板を作る。例えば、図５の出力範囲イ、ロ、ハ、ホに対応するプラットフォーム基板をタイプ１のプラットフォーム基板とし、図６の出力範囲ハ、ニ、ホに対応するプラットフォーム基板をタイプ２のプラットフォーム基板として用意する。これにより、出力電力が小さい場合にオーバースペックとなることを抑えることができる。
【００１６】
（ＬＥＤモジュールとプラットフォーム基板との関係）
以上の説明から明らかなように、図５を例にとれば、「定格特性」が出力範囲イ、ロ、ハ、ホに含まれるＬＥＤモジュールであれば、タイプ１のプラットフォーム基板に使用可能な、使用候補の光源となる。ここでＬＥＤモジュール（光源）の定格特性とは、図５の出力範囲イ、ロ、ハ、ホに含まれるかどうかの位置情報が確定する特性であり、ＬＥＤモジュールの（１）定格電流と定格電圧、あるいは（２）定格電力と定格電流、あるいは（３）定格電力と定格電圧等である。
【００１７】
前述のようにプラットフォーム基板は、実装された制御装置２０の有する不揮発メモリ２１（不揮発記憶部）に、使用するべきＬＥＤモジュール１０３の定格特性に対応する設定値（対応値）を書き込むことで、使用候補であったそのＬＥＤモジュール１０３を使用できることが確定し、そのＬＥＤモジュール１０３を使用できるようになる。つまり、出力範囲イ、ロ、ハ、ホに定格特性が含まれ、かつ、互いに定格特性の異なる複数のＬＥＤモジュールは、いずれもタイプ１のプラットフォーム基板１１０の使用候補である。そして、不揮発メモリ２１に、使用候補のうちの実際に使用するべきＬＥＤモジュール１０３の定格特性に対応する設定値を書き込むことで、タイプ１のプラットフォーム基板は、そのＬＥＤモジュール１０３の専用品となる。ここで書き込む設定値（対応値）は、たとえば、ＬＥＤモジュール１０３の定格電流、あるいは定格電圧等である。また、後述のように、調光機能を持たせる場合は調光指令値に対応する電流値や、過電圧保護のための閾値電圧値を、さらに書き込んでもよいが、プラットフォーム基板１１０の出力する電流値を確定するための設定値（定格電流、あるいは定格電圧）の書込みは必須である。
【００１８】
（光源点灯装置の製造方法）
図７は光源点灯装置１００の製造方法を示すフローチャートである。フローチャートの動作の主体は、制御装置２０の不揮発メモリ２１に書込み処理を行う書込み装置（図示していない）である。書込み装置は、入力部、出力部等を備えたコンピュータである。図７を参照して、光源点灯装置１００の製造方法を説明する。この場合、プラットフォーム基板１１０は既に製造されていることを前提（在庫不足の場合も含む）とする。
（１）Ｓ１０において、操作者が、要求仕様と生産台数とを書込み装置に入力する。要求仕様とは、例えば照明器具に使用したいＬＥＤモジュール１０３の「定格電力と定格電圧」、あるいは「定格電力と定格電流」、あるいは「定格電流と定格電圧」のように、上述の定格特性である。入力された生産台数は１００台とする。この場合の要求仕様はタイプ１のプラットフォーム基板１１０が該当するものとする。
（２）Ｓ２０において、書込み装置は、要求仕様のプラットフォーム基板１１０の在庫が存在するかどうかを検索する。Ｓ３０でヒットの有無を判断する。ヒットしない場合、処理は終了する。ヒットした場合は、Ｓ４０において書込み装置は、入力の１００台に対する生産可能率を算出して、出力部（例えばディスプレイ）に出力する。タイプ１のプラットフォーム基板１１０が１００台以上在庫として存在すれば、生産可能率は１００％である。
（３）Ｓ５０で書込み装置は、書込み指示が有るかどうかを判定する。例えばＳ５０では、Ｓ４０で算出した生産可能率と共に、タイプ１のプラットフォーム基板１１０に設定値を書き込むかどうかの指示を求めるメッセージをディスプレイに表示する。操作者は、書き込みを希望するときは、ディスプレイに表示された「書き込み」ボタンを押し下げする。Ｓ５０で書込み指示がない場合、たとえばディスプレイに表示された「書き込みしない」のボタンが押し下げられた場合は、処理は終了する。書込み指示があった場合、処理はＳ６０に進む。
（４）Ｓ６０（選択工程）において、書込み装置は、要求仕様に合致するプラットフォーム基板１１０を選択する。この例では、書込み装置は、タイプ１のプラットフォーム基板１１０を在庫から選択する。選択するプラットフォーム基板１１０の個数は設備によるが、１個ずつでもよいし、まとめて複数個を選択してもよい。
（５）Ｓ７０（書込工程）において、書込み装置は、選択されたタイプ１のプラットフォーム基板に実装された制御装置２０の不揮発メモリ２１に、接続しようとするＬＥＤモジュール１０３の定格特性に対応する設定値（対応値）を書き込む。
（６）Ｓ８０において、書込み装置は、必要個数のプラットフォーム基板１１０に書込み処理を実施したかどうかを判定する。「必要個数」とは、Ｓ４０の生産可能率における生産可能台数（１００台に対して生産可能な在庫数）である。書込み装置は、書込み処理において、書き込みを実施した台数をカウントしている。図７のフローチャートでは、選択するプラットフォーム基板１１０と、書き込むプラットフォーム基板１１０との個数は等しいとしているので、Ｓ８０でＮＯ（必要個数に書き込んでいない）の場合は、Ｓ６０に戻る。Ｓ８０でＹＥＳの場合は、処理はＳ９０に進む。
（７）Ｓ９０において、設定値が書き込まれたプラットフォーム基板１１０が、その設定値に対応する定格特性を有するＬＥＤモジュール１０３を点灯している状態で、書込み装置は、プラットフォーム基板１１０がＬＥＤモジュール１０３に出力する出力電流を検査する（検査工程）。この検査工程は、Ｓ７０の書込工程に引き続いて連続して行われる。
【００１９】
（不揮発メモリ２１へ書き込む設定値）
不揮発メモリ２１に書き込む設定値は、ＬＥＤモジュール１０３の定格電流、あるいは定格電圧等であるが、さらに、以下のような情報を設定値として書き込むことができる。（１）プラットフォーム基板１１０が調光回路（図３の調光回路２７）を備える場合には、不揮発メモリ２１に書き込む設定値として、外部から入力される調光信号の調光率に応じた複数の電流値でもよい。
（２）また、不揮発メモリ２１へ書き込む設定値は、出力端に接続されるＬＥＤモジュール１０３の異常を検出する閾値となる電圧値でもよい。
（３）また、不揮発メモリ２１へ書き込む設定値は、電源回路を駆動または停止判定するための閾値となる電源電圧値でもよい。これら（１）〜（３）については、図８の説明で、さらに後述する。
【００２０】
図８は、光源点灯装置１００を示す回路図である。図８ではプラットフォーム基板１１０が光源点灯装置１００として機能し、プラットフォーム基板１１０は、各種の設定値が既に書き込まれた後の状態である。
【００２１】
図８において、整流回路３、コンデンサ４、昇圧チョッパ回路５、降圧チョッパ回路１１は電源回路を構成する。整流回路３は、交流電源２からの交流電力を直流電力に整流する。コンデンサ４は、整流回路３の両出力端子間に接続されている。昇圧チョッパ回路５は整流回路３の両出力端子間に接続されている。降圧チョッパ回路１１は、昇圧チョッパ回路５の両出力端子間に接続される。
【００２２】
昇圧チョッパ回路５は、整流回路３の出力端子にインダクタ６を介してスイッチング素子７を並列に接続するとともに、ダイオード８を順極性に介して平滑コンデンサ９を並列に接続している。スイッチング素子７は、昇圧チョッパ回路駆動部１０からの制御信号によりオンオフを切り替えてスイッチングする。
【００２３】
さらに、降圧チョッパ回路１１は、昇圧チョッパ回路５の出力端子にスイッチング素子１２を介して順極性にダイオード１３を並列に接続するとともに、インダクタ１４を解してコンデンサ１５を並列に接続している。スイッチング素子１２は、降圧チョッパ回路駆動部１６からの制御信号によりオンオフを切り替えてスイッチングする。
【００２４】
また、降圧チョッパ回路１１の出力側にＬＥＤモジュール１０３の電圧を検出する抵抗１７、抵抗１８が接続されるとともに、光源の電流を検出する抵抗１９が接続されている。
【００２５】
そして、降圧チョッパ回路１１の両出力端子間に、光源が接続される出力端を有している。
【００２６】
制御装置２０は、不揮発メモリ２１が内蔵されたマイコン、あるいは不揮発メモリ２１が内蔵されたＤＳＰ（Ｄｉｇｉｔａｌ  Ｓｉｇｎａｌ  Ｐｒｏｃｅｓｓｏｒ）等の演算装置である。制御装置２０は、昇圧チョッパ回路駆動部１０および降圧チョッパ回路駆動部１６を制御する。また、プラットフォーム基板１１０は、調光回路２７を有しており、制御装置２０は調光回路２７の出力と、書き込まれた設定値（それぞれの調光信号に対応する電流値）とに基づき降圧チョッパ回路駆動部１６を駆動制御する。
【００２７】
次に本実施の形態１に係る光源点灯装置１００の動作について説明する。
【００２８】
まず、商用の交流電源２から入力された交流電圧、例えばＡＣ１００Ｖを整流回路３にて直流電圧に整流し、コンデンサ４の両端間に出力する。その後、整流された直流電圧は昇圧チョッパ回路駆動部１０の制御をうけたスイッチング素子７によって所定の周波数およびオンデューティーでスイッチングされることにより、平滑コンデンサ９の両端間に所定の直流電圧が発生する。なお、昇圧チョッパ回路５は、入力側の電流波形を同位相で正弦波形に整えることにより、力率を改善する。
【００２９】
次に、変換された直流電圧は降圧チョッパ回路１１に入力され、降圧チョッパ回路駆動部１６の制御をうけたスイッチング素子１２によって、所定の周波数およびオンデューティーでスイッチングされることにより、出力端に接続された光源に所定の電流が流れる。また、コンデンサ１５は光源に流れる電流を平滑化する。
【００３０】
制御装置２０は、ＬＥＤモジュール１０３に流れる電流を検出する抵抗１９に発生した電圧、および制御装置２０の不揮発メモリ２１に格納された電流設定値に基づいて、降圧チョッパ回路駆動部１６の制御を行い、降圧チョッパ回路１１の動作を定電流制御（フィードバック制御）する。また、ＬＥＤモジュール１０３の電圧を検出する抵抗１８に発生した電圧および制御装置２０の不揮発メモリ２１に格納された電圧設定値に基づいて、ＬＥＤモジュール１０３の異常を検知し昇圧チョッパ回路５の動作および降圧チョッパ回路１１の動作を停止する。以上、本実施の形態１に係る光源点灯装置１００の動作について説明した。
【００３１】
次に、制御装置２０の不揮発メモリ２１に設定値を格納する場合を説明する。図９は、実施の形態１の光源点灯装置１００を実装したプラットフォーム基板１１０の一部（はんだ面）を示す。
図９において、不揮発メモリ２１を内蔵した制御装置２０には、プログラミングするためのテストランド２３ａ、２３ｂ、２３ｃ、２３ｄが設けられている。テストランド２３ａ、２３ｂ、２３ｃ、２３ｄはそれぞれ、制御装置２０の電源端子２４ａ、グランド端子２４ｂ、リセット端子２４ｃ、シリアルデータ入出力端子２４ｄに接続されている。
【００３２】
プラットフォーム基板１１０に制御装置２０および他の電子部品が実装された段階では、制御装置２０にはソフトウェアがプログラミングされておらず、ファンクションテストの段階で演算装置２２にソフトウェアをプログラミングする。このプログラミングにより、不揮発メモリ２１に設定値を格納し、ファンクションテストを実施する。
【００３３】
（書込み用端子台２９）
図１０は制御装置２０が実装された面の裏側の上面図（ａ）、正面図（ｂ）、側面図（ｃ）からなる３面図である。図１０に示すように、プラットフォーム基板１１０は、制御装置２０と配線３０で接続され、設定値の不揮発メモリ２１への書き込みに使用する書込み用端子台２９を備えている。書込み用端子台２９の端子２９ａ〜２９ｄはそれぞれ、制御装置２０の端子２４ａ〜２４ｄに対応している。プラットフォーム基板１１０は設定値の書込み用端子台２９を備えているので、簡単に設定値を書き込むことができる。また、製造工場から出荷後においても、書込み用端子台２９から設定値の書き込み、あるいは設定値の上書き（変更）を行うことができる。
【００３４】
（照明器具１０１）
図１１は、光源点灯装置１００を用いた照明器具１０１の断面図である。照明器具１０１は、ＬＥＤ１０４を備えたＬＥＤモジュール１０３と、プラットフォーム基板１１０からなる光源点灯装置１００とが配線１０２で接続されている。照明器具１０１は、光源点灯装置１００としてプラットフォーム基板１１０を採用するので、開発期間を短縮できる。
【００３５】
（１．定電流値制御）
本実施の形態１の光源点灯装置１００によれば、光源に流れる電流を検出する抵抗１９に発生した電圧、および制御装置２０の不揮発メモリ２１に格納された電流設定値に基づいて、降圧チョッパ回路駆動部１６の制御を行い、降圧チョッパ回路１１の動作を定電流制御（フィードバック制御）することができる。
（２．異常電圧の検知）
また、光源の電圧を検出する抵抗１８に発生した電圧および制御装置２０の不揮発メモリ２１に格納された電圧設定値に基づいて、ＬＥＤモジュール１０３の異常を検知し昇圧チョッパ回路５の動作および降圧チョッパ回路１１の動作を停止することができる。
【００３６】
このように、制御装置２０の不揮発メモリ２１に格納された各種の設定値に基づいて制御をおこなうため、これらの設定値を不揮発メモリ２１に書き込む（格納する）場合は、ファンクションテストの段階で制御装置２０に設定値を格納することとする。定電流制御の電流値あるいは光源の異常を検出する電圧値が異なる機種の場合においても、同一部品の処理装置を実装できる。このため、機種毎に処理装置を調達する必要がない。
【００３７】
なお、不揮発メモリ２１に格納される設定値は、上述したように、定電流制御の電流値（定格電流値に相当。これは必須の書込みデータ（設定値）である）に限らない。さらに、光源の異常を検出する電圧値を加えてもよい。また以下の「電源電圧設定値」をさらに格納してもよい。つまり、昇圧チョッパ回路５の両入力端子間に交流電源２の電圧を検出する抵抗２５、抵抗２６を接続して、抵抗２６に発生した電圧を制御装置２０が検出する。この検出電圧と不揮発メモリ２１に格納した「電源電圧設定値」とに基づいて、昇圧チョッパ回路５の動作および降圧チョッパ回路１１の動作を制御（駆動または停止）しても良い。
【００３８】
さらに、本実施の形態１における「電源回路」は、交流電力を直流電力に整流する整流回路３と、この整流回路３の両出力端子間に接続されたコンデンサ４と、整流回路３の両出力端子間に接続される昇圧チョッパ回路５と、昇圧チョッパ回路５の両出力端子間に接続される降圧チョッパ回路１１がこれに相当する。「電源回路」の構成は、この構成に限られるものではない。
【００３９】
実施の形態２．
図１２は実施の形態２の光源点灯装置１００−２の回路図である。なお以下の実施の形態３〜４の光源点灯装置は光源点灯装置１００−２の構成である。実施の形態２の光源点灯装置１００−２は、実施の形態１の光源点灯装置１００に対してプラットフォーム基板１１０−２が使用される。実施の形態２のプラットフォーム基板１１０−２では、制御装置２０（カウント部、点灯回路制御部）の有する不揮発メモリ２１に調光制御を実行する制御プログラムが書き込まれる。具体的には、不揮発メモリ２１には、後述する図１４、図１５の処理を制御装置２０に実行させる制御プログラムが書き込まれる。
【００４０】
図１２に示すように、プラットフォーム基板１１０−２は、実施の形態１のプラットフォーム基板１１０に対して、さらに、電力供給時間検出部８０（電源計測部、期間判定部）、電力供給一時停止検出部９０（電源計測部、期間判定部）を備えている。また、不揮発メモリ２１は、設定値記憶部、調光レベル記憶部、カウント値記憶部の役割を有する。なお制御装置２０は不揮発メモリ２１の他に揮発メモリ（図示していない）を備えており、一時的に記憶する情報、データを揮発メモリに記憶してもよい。つまり、プログラム等の揮発すべきでない情報、データは不揮発メモリ２１に格納する。また、一時的に保持すればよい情報、データは、揮発メモリに格納する。
【００４１】
電力供給時間検出部８０、電力供給一時停止検出部９０は、交流電源２（以下、商用電源２ともいう）からの電流の供給の有無を検出するとともに、それぞれ電流の供給が継続した期間と電流の供給の停止が継続した期間とを計測し、制御装置２０へ出力している。
制御装置２０は、記憶部（不揮発メモリ２１）に記憶されている情報と、電力供給時間検出部８０、電力供給一時停止検出部９０から出力された情報（信号）とに基づいて、降圧チョッパ回路駆動部１６の出力を制御する信号を降圧チョッパ回路駆動部１６へ出力する。
【００４２】
まず、図１３を参照して、光源点灯装置１００−２の動作の概略を説明する。
壁などに備えられる電源スイッチ２−１をオン／オフ操作をすると、光源点灯装置１００−２に商用電源２から電力が供給／停止される。電源スイッチ２−１のオン／オフ操作を連続して所定の回数行うことで、商用電源２からの電力供給の状態を電力供給時間検出部８０と電力供給一時停止検出部９０とが検出して制御装置２０へ電力供給状況を識別する信号を出力する。その結果に基づき、制御装置２０は、光源（ＬＥＤモジュール１０３である。以下同じ）の調光レベルを変更する。なお、電源スイッチ２−１のオン／オフ操作を連続して行うとは、電源スイッチ２−１のオンの時間と、オフの時間とが所定の時間以内で切り替えされることである。つまり、電源スイッチ２−１のオン又はオフの状態が所定の時間以上継続した場合、電源スイッチ２−１のオン／オフ操作が連続して行われたとは言わない。以下の説明では、電源スイッチ２−１のオン／オフ操作が連続して３回（第１の回数）行われた場合、光源の調光レベルを変更する。ここで、オン／オフ操作のカウントのされ方は、オン状態から始まり電源スイッチ２−１がオフされ、さらにオンされると１カウントされる。つまり、オン状態から始まり、オフ−オン（１回）−オフ−オン（２回）−オフ−オン（３回）と数える。また、電源スイッチ２−１のオンからオフへ１０秒（第１の期間）以内に切り替えされ、オフからオンへ３秒（第２の期間）以内に切り替えされた場合には連続して電源スイッチ２−１のオン／オフ操作が行われているものとする。
【００４３】
次に、図１４に基づき、商用電源オン時の処理について説明する。図１４は、商用電源オン時の光源点灯装置１００−２の動作を示すフローチャートである。
（Ｓ１）：壁に備えられる電源スイッチ２−１がオンになると、光源点灯装置１００−２に電力が供給される。
そして、制御装置２０（点灯回路制御部）は不揮発メモリ２１から点灯モードＳＨを読み込む。点灯モードＳＨとは、光源の調光レベルを示す情報である。
（Ｓ２）：光源点灯装置１００−２は、光源へ電力を供給し、光源を点灯させる。この際、制御装置２０は、読み込んだ点灯モードＳＨに基づいて、光源に供給する電力を制御する。
（Ｓ３）：電力供給時間検出部８０（電源計測部）は、電力供給時間Ｔｏｎ（電源から電力が供給される供給状態が継続した期間）の値を初期化する。
（Ｓ４）：電力供給時間検出部８０（電源計測部）は、電力供給時間Ｔｏｎのカウントを開始する。
（Ｓ５）：制御装置２０（カウント部）は、後述する商用電源オフ時の処理で不揮発メモリ２１が記憶した電力供給一時停止情報Ｆを読み出す。
（Ｓ６）：制御装置２０（カウント部）は、（Ｓ５）で読み出した電力供給一時停止情報Ｆが電力供給一時停止を示す信号であるか否かを判定する。電力供給一時停止を示す信号であると判定した場合（Ｓ６でＹｅｓ）、（Ｓ７）へ進む。一方、電力供給一時停止を示す信号でないと判定した場合（Ｓ６でＮｏ）、（Ｓ１５）へ進む。
（Ｓ７）：制御装置２０（カウント部）は、電力供給一時停止検出回数Ｆｏｆｆに１カウント加算する。
（Ｓ８）：電力供給時間検出部８０と電力供給一時停止検出部９０とは、商用電源２からの電力供給があるか否かを判定する。商用電源２からの電力供給があると判定した場合（Ｓ８でＹｅｓ）、電力供給時間検出部８０は（Ｓ９）へ進む。一方、商用電源２からの電力供給がないと判定した場合（Ｓ８でＮｏ）、電力供給一時停止検出部９０は（Ｓ１７）へ進む。
（Ｓ９）：電力供給時間検出部８０（電源計測部）は、電力供給時間Ｔｏｎのカウントを継続する。
（Ｓ１０）：電力供給時間検出部８０（期間判定部）は、電力供給時間Ｔｏｎ時間が１０秒（第１の期間）以上であるか否かを判定する。なお、（Ｓ１０）で判定する電力供給時間Ｔｏｎ時間を１０秒以上としたが、電力供給時間Ｔｏｎ時間は例えば１５秒以上等、任意に設定してよい。電力供給時間が１０秒以上と判定した場合（Ｓ１０でＹｅｓ）、電力供給時間検出部８０（期間判定部）は（Ｓ１１）へ進む。一方、電力供給時間Ｔｏｎが１０秒に未満であると判定した場合（Ｓ１０でＮｏ）、電力供給時間検出部８０（期間判定部）は電力供給時間Ｔｏｎのカウントを継続するため（Ｓ８）へ戻る。
（Ｓ１１）：制御装置２０（カウント部）は、電力供給一時停止検出回数Ｆｏｆｆが３回（第１の回数）であるか判定する。なお、（Ｓ１１）で判定する電力供給一時停止検出回数Ｆｏｆｆを３回としたが、電力供給一時停止検出回数Ｆｏｆｆは２回であっても、３回より多くてもよい。電力供給一時停止検出回数Ｆｏｆｆが３回であると判定した場合（Ｓ１１でＹｅｓ）、制御装置２０（カウント部）は（Ｓ１２）へ進む。一方、電力供給一時停止検出回数Ｆｏｆｆが３回でないと判定した場合（Ｓ１１でＮｏ）、制御装置２０（カウント部）は（Ｓ１５）へ進む。
（Ｓ１２）：制御装置２０（点灯回路制御部）は、点灯モードＳＨを順送り処理する。順送り処理とは、詳しくは後述するが、調光レベルを次に明るい又は暗いレベルに切り替える処理である。制御装置２０（点灯回路制御部）は、例えば１００％点灯であったときは、７０％点灯に点灯モードＳＨを切り替える処理を行う。
（Ｓ１３）：制御装置２０（カウント部）は、電力供給一時停止検出回数Ｆｏｆｆを０回に設定する。つまり、電力供給一時停止検出回数Ｆｏｆｆをリセットする。
（Ｓ１４）：制御装置２０（点灯回路制御部）は、（Ｓ１２）で順送り処理を行い切り替えした点灯モードで、光源の点灯制御を開始する。つまり、光源の調光レベルを変更する。
（Ｓ１５）：制御装置２０（カウント部）は、電力供給一時停止検出回数Ｆｏｆｆを０回とする。つまり、電力供給一時停止検出回数Ｆｏｆｆをリセットする。
（Ｓ１６）：制御装置２０（点灯回路制御部）は、この時点で光源を点灯している点灯モードＳＨを継続する。つまり、制御装置２０（点灯回路制御部）は、１００％点灯しているときは、点灯モードＳＨを変更することなく１００％での点灯を維持する。
（Ｓ１７）：電力供給一時停止検出部９０は、商用電源ＯＦＦを検出する。
（Ｓ１８）：光源点灯装置１００−２は、商用電源ＯＦＦ時の処理へ移行する。
【００４４】
図１５に基づき、商用電源オフ時の処理について説明する。図１５は、商用電源オフ時の光源点灯装置１００−２の動作を示すフローチャートである。
商用電源２がオフされた場合であっても、制御装置２０等は一定時間動作することができるものとする。
（Ｓ２１）：電力供給一時停止検出部９０（電源計測部）は、商用電源２がオフにされると、電力供給一時停止時間Ｔｏｆｆ（電源から電力が供給されない停止状態が継続した期間）を初期化する。
（Ｓ２２）：電力供給一時停止検出部９０（電源計測部）は、電力供給一時停止時間Ｔｏｆｆの計測を開始する。
（Ｓ２３）：電力供給一時停止検出部９０（電源計測部）は、電力供給一時停止時間Ｔｏｆｆのカウントを継続する。
（Ｓ２４）：電力供給一時停止検出部９０（期間判定部）は、電力供給一時停止時間Ｔｏｆｆが３秒（第２の期間）を超えるか否かを判定する。なお、（Ｓ２４）で判定する電力供給一時停止時間Ｔｏｆｆを３秒を超えるとしたが、電力供給一時停止時間Ｔｏｆｆは例えば５秒を超える等、任意に設定してよい。電力供給一時停止時間Ｔｏｆｆが３秒を越えないと判定した場合（Ｓ２４でＮｏ）、電力供給一時停止検出部９０（期間判定部）は（Ｓ２５）へ進む。一方、電力供給一時停止時間Ｔｏｆｆが３秒を超えると判定した場合（Ｓ２４でＹｅｓ）、電力供給一時停止検出部９０（期間判定部）は（Ｓ２９）へ進む。
（Ｓ２５）：電力供給時間検出部８０（電源計測部）と電力供給一時停止検出部９０（電源計測部）とは、商用電源２からの電力供給があるか否かを判定する。商用電源２からの電力供給があると判定した場合（Ｓ２５でＹｅｓ）、電力供給時間検出部８０（電源計測部）は（Ｓ２６）へ進む。一方、商用電源２からの電力供給がないと判定した場合（Ｓ２５でＮｏ）、電力供給時間検出部８０（電源計測部）は電力供給一時停止時間Ｔｏｆｆのカウントを継続するため、（Ｓ２３）へ戻る。
（Ｓ２６）：電力供給時間検出部８０（電源計測部）は、商用電源２がオンであると検出する。
（Ｓ２７）：制御装置２０（カウント部）は、電力供給一時停止検出ありと判定する。そして、不揮発メモリ２１（カウント記憶部）は、電力供給一時停止検出情報に電力供給一時停止ありと記憶する。
（Ｓ２８）：光源点灯装置１００−２は、商用電源オン時の処理に移行する。
（Ｓ２９）：制御装置２０（カウント部）は、電力供給一時停止検出なしと識別する。そして、不揮発メモリ２１（カウント記憶部）は、電力供給一時停止検出情報に電力供給一時停止なしを記憶する。
【００４５】
つまり、以上の処理をまとめると、電源スイッチ２がオフにされ光源点灯装置１００−２に電力が供給されなくなると、電力供給一時停止検出部９０（電源計測部）は、この電力供給が停止している時間を計時する。
そして、計時した時間が所定の時間（上記では３秒）以下である場合、電力供給一時停止であったことを示すフラグを不揮発メモリ２１（カウント記憶部）に記憶する。このとき、制御装置２０や電力供給一時停止検出部９０は電解コンデンサの残留電荷やバッテリ（図示していない）などの二次電池により動作している。
再び電源スイッチ２がオンにされると、制御装置２０は不揮発メモリ２１（カウント記憶部）が記憶したフラグにより電力供給一時停止であったか否かを判定する。電力供給一時停止であった場合には、カウントに１加算する。そして、電力供給時間検出部８０（電源計測部）は、電力供給がされている期間を計時する。計時した時間が所定の時間（上記では１０秒）を超えた場合には、カウントを初期化する。
さらに、計時した時間が所定の時間（上記では１０秒）以内に電源スイッチ２−１がオフにされ、また所定の時間（上記では３秒）以内に電源スイッチ２−１がオンにされるという動作が繰り返され、電力供給一時停止であったと所定の回数（上記では３回）連続して判定され、電力供給がされている時間が所定時間（上記では１０秒）経過すると、制御装置２０（点灯回路制御部）は、新たな光源の点灯状態の設定情報を不揮発メモリ２１から取得する（順送り処理）。そして、不揮発メモリ２１（調光レベル記憶部）は、取得した設定情報を現在の設定情報として記憶する。また、制御装置２０（点灯回路制御部）は、光源の明るさを変更するように降圧チョッパ回路１１の出力電力を変更する信号を降圧チョッパ回路駆動部１６に出力する。
【００４６】
以上のように、商用電源２のオン／オフ操作に応じて光源の点灯状態（調光レベル）をユーザが任意に設定することができる。
また、商用電源２のオン／オフ操作を所定の回数（複数回）行うときに、光源の点灯状態を変更するので、商用電源２の瞬時停電などにより、不用意に光源の点灯状態を変更する恐れがない。特に、１つの電源回路に複数の照明器具が接続されたり、他の大容量の電気設備などが設置されたりするオフィスビルなどでは商用電源の瞬時停電や電源サグなどが発生する可能性がある。しかし、このような場合であっても不用意に光源の点灯状態を変更する恐れがない。
また、電源スイッチ２−１のオン／オフ操作によって、光源の点灯状態を変更することができるので、照明器具を変更することなく、ユーザの所望の明るさに設定することができる。また、照明器具に内蔵されている点灯装置のＤＩＰスイッチ等のスイッチの切り替えなど、頻雑な作業が不要となる。なお、ＤＩＰスイッチとは、基板上に設置されるスイッチのことである。
【００４７】
次に、順送り処理について説明する。順送り処理とは、上述したように調光レベルを次に明るい又は暗いレベルに切り替える処理である。
調光レベルとしてとり得る値（降圧チョッパ回路１１の出力を決定する設定値）は、不揮発メモリ２１（設定値記憶部）が予め複数記憶している。不揮発メモリ２１（設定値記憶部）は、例えば、出力１００％、出力７０％、出力５０％の３つの設定値を記憶している。順送り処理では、不揮発メモリ２１（設定値記憶部）が記憶した設定値を順に１段階明るい又は暗いレベルに変更する。つまり、順送り処理では、不揮発メモリ２１（調光レベル記憶部）が記憶している現在設定されている調光レベルよりも１段階明るい又は暗いレベルに変更する。
図１６（ａ）に示すように、不揮発メモリ２１（設定値記憶部）が記憶した設定値の中から明るくなる出力５０％−出力７０％−出力１００％の順に１段階ずつ調光レベルを変更する。最高出力の出力１００％の次には、最低出力の出力５０％とする。又は、図１６（ｂ）に示すように不揮発メモリ２１（設定値記憶部）が記憶した設定値の中から暗くなる出力１００％−出力７０％−出力５０％の順に１段階ずつ調光レベルを変更する。
【００４８】
なお、上記説明では、順送り処理を行うのは、電力供給時間Ｔｏｎが１０秒を経過後（Ｔｏｎ≧１０秒）と（Ｓ１０）で判定され、電力供給一時停止検出回数Ｆｏｆｆが３回（Ｆｏｆｆ＝３回）と（Ｓ１１）で判定された後である。
しかし、電力供給時間Ｔｏｎが１０秒経過前に、電力供給一時停止検出回数Ｆｏｆｆが３回（Ｆｏｆｆ＝３回）と判定された場合には暫定的に調光レベルを変更して、光源を変更後の調光レベルで点灯させてもよい。そして、電力供給時間Ｔｏｎが１０秒を経過した後に、調光レベルの変更を確定させ、継続して変更後の調光レベルで光源を点灯させるとしてもよい。一方、暫定的に調光レベルを変更した後、電力供給時間Ｔｏｎが１０秒を経過する前に電源スイッチのオン／オフ操作が行われた場合には（電力供給一時停止検出回数Ｆｏｆｆが３回でなくなるため）、調光レベルを変更前の調光レベルに戻して光源を点灯させるとしてもよい。
つまり、例えば、（Ｓ５）の後に（Ｓ１１）と同様の処理（電力供給一時停止検出回数Ｆｏｆｆが３回（Ｆｏｆｆ＝３回）であるか否かを判定する処理）を行い、電力供給一時停止検出回数Ｆｏｆｆが３回であれば、暫定的に調光レベルを変更して、光源を変更後の調光レベルで点灯させるようにしてもよい。そして、（Ｓ１２）を暫定的に変更した調光レベルを確定する処理としてもよい。
以上により、調光レベルを変更した場合の光源の明るさを、変更を確定する前に確認することができる。そして、調光レベルの変更をキャンセルすることもできる。
【００４９】
なお、上記説明では、順送り処理を行うのは、電力供給時間Ｔｏｎが１０秒を経過後（Ｔｏｎ≧１０秒）と（Ｓ１０）で判定され、電力供給一時停止検出回数Ｆｏｆｆが３回（Ｆｏｆｆ＝３回）と（Ｓ１１）で判定された後である。
しかし、電力供給時間Ｔｏｎが１０秒経過前に、電力供給一時停止検出回数Ｆｏｆｆが３回（Ｆｏｆｆ＝３回）と判定された場合には暫定的に調光レベルを変更して、光源を変更後の調光レベルで点灯させてもよい。そして、電力供給時間Ｔｏｎが１０秒を経過した後に、調光レベルの変更を確定させ、継続して変更後の調光レベルで光源を点灯させるとしてもよい。一方、暫定的に調光レベルを変更した後、電力供給時間Ｔｏｎが１０秒を経過する前に電源スイッチ２−１のオン／オフ操作が行われた場合には（電力供給一時停止検出回数Ｆｏｆｆが３回でなくなるため）、調光レベルを変更前の調光レベルに戻して光源を点灯させるとしてもよい。
つまり、例えば、（Ｓ５）の後に（Ｓ１１）と同様の処理（電力供給一時停止検出回数Ｆｏｆｆが３回（Ｆｏｆｆ＝３回）であるか否かを判定する処理）を行い、電力供給一時停止検出回数Ｆｏｆｆが３回であれば、暫定的に調光レベルを変更して、光源を変更後の調光レベルで点灯させるようにしてもよい。そして、（Ｓ１２）を暫定的に変更した調光レベルを確定する処理としてもよい。
以上により、調光レベルを変更した場合の光源の明るさを、変更を確定する前に確認することができる。そして、調光レベルの変更をキャンセルすることもできる。
【００５０】
実施の形態３．
この実施の形態３では、実施の形態２で説明した処理に、さらに、点灯状態を初期状態（初期値）に戻す処理を追加した場合を説明する。
つまり、制御装置２０に書き込まれた制御プログラムは、所定の操作を行が行われた場合、点灯状態を予め定めた初期状態に戻す処理を制御装置２０に実行させる。
【００５１】
まず、実施の形態２で説明した処理に点灯状態を初期状態に戻す処理を追加した場合を説明する。図１７は、商用電源オン時の点灯装置の動作を示すフローチャートである。商用電源オフ時の点灯装置の動作は実施の形態２で説明した処理と同様である。
なお、ここで説明する光源点灯装置の内部構成は、実施の形態２に係る光源点灯装置１００−２と同様である。
【００５２】
ここでは、図１７に示す商用電源オン時の光源点灯装置１００−２の動作について、実施の形態２で説明した商用電源オン時の動作と異なる部分のみ説明する。
（Ｓ１）から（Ｓ１０）までは実施の形態２と同様である。
（Ｓ１１）：制御装置２０（カウント部）は、電力供給一時停止検出回数Ｆｏｆｆが３回（第１の回数）であるか判定するとともに、電力供給一時停止検出回数Ｆｏｆｆが４回（第２の回数））であるか判定する。電力供給一時停止検出回数Ｆｏｆｆが３回であると判定した場合（Ｓ１１でＦｏｆｆ＝３回）、制御装置２０（カウント部）は（Ｓ１２）へ進む。電力供給一時停止検出回数Ｆｏｆｆが４回であると判定した場合（Ｓ１１でＦｏｆｆ＝４回）、制御装置２０（カウント部）は（Ｓ１９）へ進む。電力供給一時停止検出回数Ｆｏｆｆが３回でも４回でもないと判定した場合（Ｓ１１でＦｏｆｆ≠３回、４回）、制御装置２０（カウント部）は（Ｓ１５）へ進む。
（Ｓ１２）から（Ｓ１８）までは実施の形態２と同様である。
（Ｓ１９）：制御装置２０（点灯回路制御部）は、点灯モードＳＨを初期点灯処理する。初期点灯処理とは、予め不揮発メモリ２１（設定値記憶部）が記憶した光源の調光レベルの初期値に、光源の調光レベルを切り替える処理である。
そして、（Ｓ１４）では、制御装置２０（点灯回路制御部）は、切り替えた点灯モードで光源の点灯制御を開始する。
【００５３】
以上のように、順送り処理を何度も繰り返すことなく調光レベルを初期値に戻すことができるので、調光レベルを初期値に戻す場合の手間がかからない。
【００５４】
なお、上記説明において、電力供給一時停止検出回数Ｆｏｆｆが３回か否か、あるいは電力供給一時停止検出回数Ｆｏｆｆが４回か否か判定したが、この回数は任意に設定してよい。短時間電力供給検出回数Ｋｏｎについても同様に任意に設定してよい。
【００５５】
実施の形態４．
この実施の形態４では、順送り処理と初期点灯処理とで点灯モードが切り替えられた場合の点灯制御について説明する。
【００５６】
図１８と図１９とは、順送り処理が行われた場合の出力変化を示す図である。
順送り処理が行われ、調光レベルが変更された場合には、変更前の調光レベルから変更後の調光レベルへ直接変更するのではなく、制御装置２０（制御プログラム）は、例えば図１８に示すように最高出力から変更後の出力へ段階的に調光レベルを下げて（暗くして）いくとしてもよい。つまり、最高出力で２秒間出力し、最高出力と変更後の調光レベルとの間の中間出力で２秒間出力した後、変更後の調光レベルで出力するとしてもよい。
また、制御装置２０（制御プログラム）は、図１９に示すように、最低出力から変更後の出力へ段階的に調光レベルを上げて（明るくして）いくとしてもよい。
さらに、上記例では最高出力又は最低出力から段階的に調光レベルを変更するとしたが、最高出力及び最低出力でない調光レベルから段階的に調光レベルを変更するとしてもよい。
また、さらに、中間出力を複数段階設けてもよい。
【００５７】
以上のように、順送り処理が行われた場合に、制御装置２０（制御プログラム）が調光レベルを段階的に変更することで、調光レベルが変更されたことを視覚で確認できる。また、変更後の調光レベルの明るさがどの程度のものであるかを容易に把握できる。
【００５８】
図２０と図２１とは、順送り処理が行われた場合の出力変化の他の例を示す図である。
図２０に示すように、制御装置２０（制御プログラム）は、変更前の調光レベル（図２０においては、最高出力レベル）と変更後の調光レベルとの明るさの差がαであるとき、変更前の調光レベルと明るさの差が少なくとも２α以上ある調光レベルと、変更前の調光レベルとに交互に、光源の調光レベルを複数回変更した後、光源の調光レベルを変更後の調光レベルに変更するとしてもよい。つまり、制御装置２０（制御プログラム）は、変更前と変更後との明るさの差の２倍以上の差のある２つの調光レベルで光源の明るさを複数回明暗させた後、光源の調光レベルを変更後の調光レベルに変更するとしてもよい。
さらに、図２１に示すように、光源の調光レベルが少なくとも最高出力の所定の割合（例えば、５０％以上）の調光レベルまでしか変更されない場合には、制御装置２０（制御プログラム）は、所定の調光レベル（例えば、最高出力レベル）と、所定の調光レベルの上記所定の割合以下（例えば、５０％以下）の出力とに交互に、光源の調光レベルを複数回変更した後、光源の調光レベルを変更するとしてもよい。
【００５９】
以上のように、順送り処理が行われた場合に調光レベルを変更後の調光レベルよりも明らかに明るい調光レベル（又は暗い調光レベル）と、変更前の調光レベルとに交互に点灯させることで、調光レベルが変更されたことを視覚で確認できる。特に、最も暗い調光レベルよりも暗い調光レベルと変更前の調光レベルとに交互に数回変更されることにより、調光レベルが変更されたことを容易に確認できる。
【００６０】
図２２は、制御装置２０（制御プログラム）による初期点灯処理が行われた場合の出力変化を示す図である。
初期点灯処理が行われ、調光レベルが初期値に設定された場合には、変更前の調光レベルから初期値の調光レベルへ直接変更するのではなく、例えば図２２に示すように最高出力と最低出力とに交互に所定の回数繰り返して調光レベルを変更した後、初期値の調光レベルに光源の調光レベルを変更するとしてもよい。例えば、２秒間、最高出力と最低出力とに交互に繰り返して調光レベルを変更した後、初期値の調光レベルに光源の調光レベルを変更するとしてもよい。
また、上記例では、最高出力と最低出力とに交互に所定の回数繰り返して調光レベルを変更するとしたが、所定の調光レベルよりも明るい調光レベルと上記所定の調光レベルよりも暗い調光レベルとに交互に所定の回数繰り返して調光レベルを変更するとしてもよい。
【００６１】
以上のように、初期点灯処理が行われた場合に調光レベルを繰り返し変更することで、調光レベルが初期値に変更されたことを視覚で確認できる。
【００６２】
実施の形態５．
図２３〜図３０を参照して実施の形態５を説明する。実施の形態５は、制御装置２０が、電源スイッチ２−１の特定のオン・オフパターンを認識すると、調光率を１００％、７０％、５０％、３０％、１００％、７０％・・・の様に、循環的に切り替えて設定する実施の形態である。つまり、制御装置２０が上記の切替処理を実行する調光率切替プログラムを、不揮発メモリ２１に書き込む場合である。
【００６３】
（間引き等による不都合）
例えば２つのＬＥＤモジュール（光源）を直列接続する照明器具において、１つのＬＥＤモジュールを間引いた間引き点灯を実施する際には、図２３のように、取り外した側のランプ端子を短絡接続する必要がある。また、１本増灯する場合は、ランプ端子を追加（照明器具を交換）する必要がある。また、現行の光束よりも高いまたは低いランプに交換する場合、ユーザはランプの購入および交換に対する費用等が発生する。このように、ランプ間引き、ランプ増灯、ランプ交換による光束の変更等には上記のような不都合がある、
さらに、図２４に示すように、プラットフォーム基板を使用した場合、間引きまたは増灯することでランプ電圧が大きく変動するため、プラットフォーム基板の出力電圧適用範囲から外れてしまう可能性がある。これは、間引きまたは増灯することでプラットフォーム基板からの出力電流は変化しないが、出力電圧が大きく変わるためである。
【００６４】
（間引き等による不都合の回避）
上記で述べた間引き等による不都合の回避のため、実施の形態５では以下とした。ランプの光束（出力電流）を段階的に可変することができる点灯装置プラットフォーム基板を用いて段調光の設定を３段調光以上とし、初期の調光率を最大または最小には設定しない。つまり図２５に示すように、１００％、７０％、５０％、３０％の４種類の段調光の場合、初期の調光率としては、最大の１００％と最小の３０％は除く。これは、段調光によって間引き、あるいは増灯の効果を得るためである。従って、最大の調光率は、その照明器具における通常使用の光束に対して１本増灯した場合と同程度のランプ光束に設定する。また、最小の調光率は、その照明器具における通常使用の光束に対して、１本間引いた場合と同程度のランプ光束に設定する。そして、図２６に示すように、４つの調光率に対して循環して切り替わる切り替えの順番が切替順序として決められている。このような段調光とすることにより、
・ランプの接続検出がし易い（着脱検出、灯数判定など）。
・出力電圧が変化しないため、プラットフォームの適合範囲の選択幅が広がる。
・出力電圧が変動しないため、電子部品の耐圧の低いものを選べる。（耐圧マージンを小さくできる。）
ランプの増灯する改造や、高所作業をして間引きする必要なく、スイッチ操作で出力変化が容易にできる。
・さらに上記のような段調光とすることにより、２灯用ランプを直列接続した照明器具の場合でも、ランプ端子の短絡接続またはランプ端子の追加を実施せずに間引きまたは増灯した時と同等の光束を実現することができる。光束の異なるランプに交換する必要がない。また、プラットフォーム基板を用いた場合でも、ランプ電圧の変動が小さいため出力電圧適用範囲から外れない。
また、プラットフォーム基板では、ファンクションテストを実施する段階でソフトウェアをプログラミングするため、段調光の初期値および段調光の調光率の仕様が変更された場合でも容易に対応することができる。
【００６５】
図２７は上記で説明した段調光を行うプラットフォーム基板１１０−５を使用した光源点灯装置１００−５の回路図である。プラットフォーム基板１１０−５は図１２の光源点灯装置１００−２に対して電力供給時間検出部８０、電力供給一時停止検出部９０を持たず、商用電源オンオフ状態検出回路９９を備えている。商用電源オンオフ状態検出回路９９は、電源スイッチ２−１のオンオフに基づく商用電源による電力供給のオン、オフ状態を検出する。制御装置２０は、電源オンオフ状態検出回路９９によって、予め設定された特定のオンオフパターン（後述する図２８の特定オンオフパターン）が検出されるごとに、４つの調光率に対して循環して切り替わる切替順序（図２６）に従って、現在設定されている調光率であって切替順序に含まれる調光率を、切替順序の示す別の調光率に設定し、設定した調光率で光源を点灯する。不揮発メモリ２１には、制御装置２０がこの処理を実行するためのプログラムが書き込まれる。
【００６６】
図２８は、調光率１００％、７０％、５０％、３０％の４段調光において、ある調光率から次の調光率に切り替えるための電源スイッチ２−１の操作を示す特定オンオフパターンを示す図である。なお、制御装置２０は、初期値として、調光率７０％を設定している。より具体的に述べれば、工場出荷時には図２６に示すように、電源スイッチ２−１の投入により光源点灯装置１００−５は調光率７０％で光源を点灯させる設定（初期設定）となっている。以下に説明する特定オンオフパターンの電源スイッチ２−１操作をするごとに、調光率は７０％から５０％へ、５０％から３０％へ、３０％から１００％へ、と順次切り替っていく。これらの処理はすべて制御装置２０が行い、そのプログラムは不揮発メモリ２１に格納される。
【００６７】
（特定オンオフパターン）
図２８を説明する。図２８は、図２６の点灯モード切替（調光率の切替）を行うための電源スイッチ２−１に対するオンオフ操作（特定オンオフパターン）を示す。調光率の切替は、ランプ取付け状態において、電源オフの状態から、電源オン（１秒）・オフ（１秒）を２回繰り返し、３秒以内に電源オンを５秒以上維持する。この特定オンオフパターンの操作により、上記のように図２６に示す順番で、点灯モードが切り替わる。
【００６８】
（リセットパターン）
制御装置２０は、点灯モードリセット機能を有する。制御装置２０は商用電源オンオフ状態検出回路９９を介して以下に説明するリセットパターン（特定オンオフパターンとは異なる）を検出すると、図２６の切替順序によらず、現在設定されている調光率を初期値として指定された調光率（この実施の形態５では７０％）に設定し、初期値の調光率で光源を点灯する処理を実行する。不揮発メモリ２１は、制御装置２０がこの処理を実行する調光率切替プログラムを格納しており、制御装置２０は調光率切替プログラムに従って処理を実行する。
【００６９】
図２９を参照してリセットパターンを説明する。調光率のリセットは、ランプ取付け状態において、電源オフの状態から、電源オン（１秒）、オフ（１秒）を４回繰り返し、３秒以内に電源オンを５秒以上維持する。このリセットパターンの電源スイッチ２−１の操作により点灯モードは初期値である「７０％点灯モード」に移行する。なお、特定オンオフパターン及びリセットパターンのオン、オフのパターンと、オン、オフの時間は一例である。
【００７０】
（メモリ機能）
制御装置２０は、再点灯時には消灯前の点灯モード（調光率）で光源を点灯させる。つまり、制御装置２０は点灯モード（設定した現在の調光率）を不揮発メモリ２１に記憶しており、再点灯時には不揮発メモリ２１の点灯モードを読み出し、その点灯モードで光源を点灯する。
【００７１】
（点灯時の視覚効果）
制御装置２０は調光率切替プログラムに従って、点灯モード切り替え時（特定オンオフパターン検出時）およびリセット時（リセットパターン検出時）には、光源の明るさを変化させることで、視覚的に点灯モードをユーザに知らせる（通常の点灯時は明るさを変化させない）。つまり制御装置２０は、調光率切替プログラムに従って、図２６の切替順序に従って現在設定されている調光率を切替順序の示す別の調光率（初期値７０％も含む）に設定するときは、光源を明滅させながら、別の調光率に設定する処理を実行する。図３０は、制御装置２０による明滅処理を説明する図である。図３０（ａ）は、調光率を７０％に切り替える場合を示している。調光率を７０％に切り替える場合は、特定オンオフパターン検出時（１００％→７０％）と、リセットパターン検出時の２通りがある。図３０（ａ）では制御装置２０は光源を１００％点灯にした後に、消灯程度にまで暗くしてから７０％点灯で点灯する。図３０（ｂ）は５０％点灯から３０％点灯に切り替える場合を示している。この場合は、制御装置２０は５０％点灯モードを記憶している状態で、特定オンオフパターンを検出した場合である。図３０（ｂ）では制御装置２０は、１００％、７０％、５０％、３０％と調光率を切り替えていくが、これら調光率の間の３箇所はほとんど消灯状態とする。制御装置２０は、切替順序に従って現在設定されている調光率を切替順序の示す別の調光率に設定するときには、最も大きい調光率から設定されるべき調光率までの調光率の段階の数だけ光源を明滅させる。つまり、図３０（ｂ）をみるとわかるように、１００％から３０％の間には、１００％→７０％、７０％→５０％、５０％→３０％の３段階があるので、調光率を３０％に設定するときには、この３段階の数（３回）だけ光源を明滅させる。同様に調光率を５０％に設定するときには、１００％→７０％、７０％→５０％と２段階あるので光源を２回明滅させる。
【００７２】
このように、制御装置２０は光源を明滅させるので、ユーザは視覚的に点灯モードを知ることができる。
【００７３】
上記の実施の形態２〜４（図１２の光源点灯装置１００−２）では、電力供給時間検出部８０、電力供給一時停止検出部９０を設けたが、光源点灯装置１００−２（プラットフォーム基板１１０−２）については、実施の形態５のように商用電源オンオフ状態検出回路９９を設けて商用電源オンオフ状態を検出させ、電力供給時間検出部８０、電力供給一時停止検出部９０の「その他の機能」（商用電源オンオフ状態の検出機能以外の機能）を制御装置２０に受けもたせてもよい。つまり、電力供給時間検出部８０，電力供給一時停止検出部９０の処理を制御装置２０に実行させるプログラムを不揮発メモリ２１にさら書き込んでもよい。
【００７４】
さらに、上記の実施の形態２〜４の光源点灯装置１００−２（プラットフォーム基板１１０−２）及び、実施の形態５の光源点灯装置１００−５（プラットフォーム基板１１０−５）については、電力供給時間検出部８０、電力供給一時停止検出部９０の上記の「その他の機能」（商用電源オンオフ状態の検出機能以外の機能）を制御装置２０に受けもたせ、さらに、商用電源オンオフ状態検出回路９９を制御装置２０に組み込んでもよい。図３１は、商用電源オンオフ状態検出回路９９を制御装置２０に組み込んだ状態を示す図である。図３１のように商用電源オンオフ状態検出回路９９を制御装置２０に組み込むことでプラットフォーム基板の回路配線を簡素化できるので、プラットフォーム基板をコンパクト化できる。
【符号の説明】
【００７５】
２  交流電源、２−１  電源スイッチ、３  整流回路、４  コンデンサ、５  昇圧チョッパ回路、６  インダクタ、７  スイッチング素子、８  ダイオード、９  平滑コンデンサ、１０  昇圧チョッパ回路駆動部、１１  降圧チョッパ回路、１２  スイッチング素子、１３  ダイオード、１４  インダクタ、１５  コンデンサ、１６  降圧チョッパ回路駆動部、１７  抵抗、１８  抵抗、１９  抵抗、２０  制御装置、２１  不揮発メモリ、２２  演算装置、２３  テストランド、２４ａ  電源端子、２４ｂ  グランド端子、２４ｃ  リセット端子、２４ｄ  シリアルデータ入出力端子、２５  抵抗、２７  調光回路、２９  書込み用端子台、３１ａ，３１ｂ  ケース、３２ａ，３２ｂ  絶縁板、８０  電力供給時間検出部、９０  電力供給一時停止検出部、１００，１００−２，１００−５  光源点灯装置、１０１  照明器具、１０２  配線、１０３  ＬＥＤモジュール、１０４  ＬＥＤ、１１０，１１０−２，１１０−５  プラットフォーム基板。
【図１】
0006381720.tif 000002
【図２】
0006381720.tif 000003
【図３】
0006381720.tif 000004
【図４】
0006381720.tif 000005
【図５】
0006381720.tif 000006
【図６】
0006381720.tif 000007
【図７】
0006381720.tif 000008
【図８】
0006381720.tif 000009
【図９】
0006381720.tif 000010
【図１０】
0006381720.tif 000011
【図１１】
0006381720.tif 000012
【図１２】
0006381720.tif 000013
【図１３】
0006381720.tif 000014
【図１４】
0006381720.tif 000015
【図１５】
0006381720.tif 000016
【図１６】
0006381720.tif 000017
【図１７】
0006381720.tif 000018
【図１８】
0006381720.tif 000019
【図１９】
0006381720.tif 000020
【図２０】
0006381720.tif 000021
【図２１】
0006381720.tif 000022
【図２２】
0006381720.tif 000023
【図２３】
0006381720.tif 000024
【図２４】
0006381720.tif 000025
【図２５】
0006381720.tif 000026
【図２６】
0006381720.tif 000027
【図２７】
0006381720.tif 000028
【図２８】
0006381720.tif 000029
【図２９】
0006381720.tif 000030
【図３０】
0006381720.tif 000031
【図３１】
0006381720.tif 000032